(57)【要約】  発光部品が提示される。この発光部品は、・対で異なる波長領域の光を放出するように構成されている少なくとも４つの光源（１）と、・光源を動作させるための駆動制御装置（２）とを備えており、ここで・少なくとも２つの光源（１）からの光が混ざり、混合光が形成されるように、これらの光源（１）を互いに独立して動作させるように駆動制御装置（２）は構成されており、さらに・混合光のｍｖ，ｍｅｌ，Ｄ６５値を調整するように駆動制御装置は構成されている。
2020529723.tif 000002
【特許請求の範囲】
【請求項１】
発光部品（１００）であって、
・対で異なる波長領域の光を放出するように構成されている少なくとも４つの光源（１）と、
・前記光源を動作させるための駆動制御装置（２）とを備えており、
・少なくとも２つの前記光源（１）からの光が混ざり、混合光が形成されるように、前記光源（１）を互いに独立して動作させるように前記駆動制御装置（２）は構成されており、さらに
・前記混合光のｍｖ，ｍｅｌ，Ｄ６５値を調整するように前記駆動制御装置は構成されている
発光部品（１００）。
【請求項２】
少なくとも４つの前記光源（１）は、最大で４５０ｎｍの主波長を有する電磁ビームを放出するように構成されている第１の光源（１１）を含んでいる、請求項１記載の発光部品（１００）。
【請求項３】
少なくとも４つの前記光源（１）は、前記第１の光源（１１）の前記電磁ビームの主波長よりも大きい主波長を有する電磁ビームを放出するように構成されている第２の光源（１２）を含んでいる、請求項２記載の発光部品（１００）。
【請求項４】
少なくとも４つの前記光源（１）は、最小で４８０ｎｍ、最大で５２０ｎｍの主波長を有する電磁ビームを放出するように構成されている第２の光源（１２）を含んでいる、請求項１から３までのいずれか１項記載の発光部品（１００）。
【請求項５】
少なくとも４つの前記光源（１）は、最小で４５５ｎｍ、最大で４７０ｎｍの主波長を有する電磁ビームを放出するように構成されている第２の光源（１２）を含んでいる、請求項１から４までのいずれか１項記載の発光部品（１００）。
【請求項６】
少なくとも４つの前記光源（１）は、緑色光のスペクトル領域の電磁ビームを放出するように構成されている第３の光源（１３）を含んでいる、請求項１から５までのいずれか１項記載の発光部品（１００）。
【請求項７】
・少なくとも４つの前記光源（１）は、黄色光のスペクトル領域の電磁ビームを放出するように構成されている第４の光源（１４）を含んでいる、かつ／または
・少なくとも４つの前記光源（１）は、こはく色の光のスペクトル領域にある電磁ビームを放出するように構成されている第４の光源（１４）を含んでいる、請求項１から６までのいずれか１項記載の発光部品（１００）。
【請求項８】
前記駆動制御装置（２）は、事前に設定可能な領域内で前記混合光のｍｖ，ｍｅｌ，Ｄ６５値を変えるように構成されており、
異なるｍｖ，ｍｅｌ，Ｄ６５値のもとで、前記混合光の色温度は、平均値を中心として最大で２０％ぶんだけ、前記事前に設定可能な領域から変動する、請求項１から７までのいずれか１項記載の発光部品（１００）。
【請求項９】
比較的大きいｍｖ，ｍｅｌ，Ｄ６５値を有する混合光を生成するために、前記第１の光源（１１）は、比較的小さいｍｖ，ｍｅｌ，Ｄ６５値の場合よりも、前記第２の光源と比べて、より低い電力で動作させられる、請求項５記載の発光部品（１００）。
【請求項１０】
前記比較的大きいｍｖ，ｍｅｌ，Ｄ６５値を有する混合光を生成するために、前記第１の光源（１１）は動作させられず、前記第２の光源（１２）が動作させられ、前記比較的小さいｍｖ，ｍｅｌ，Ｄ６５値を有する混合光を生成するために、前記第２の光源（１２）は動作させられず、前記第１の光源（１１）が動作させられる、請求項９記載の発光部品（１００）。
【請求項１１】
比較的大きいｍｖ，ｍｅｌ，Ｄ６５値を有する混合光を生成するために、前記第３の光源（１３）は、比較的小さいｍｖ，ｍｅｌ，Ｄ６５値の場合よりも、前記第２の光源に比べて、より低い電力で動作させられる、請求項４記載の発光部品（１００）。
【請求項１２】
前記比較的大きいｍｖ，ｍｅｌ，Ｄ６５値を有する混合光を生成するために、前記第３の光源（１３）は動作させられず、前記第２の光源（１２）が動作させられ、前記比較的小さいｍｖ，ｍｅｌ，Ｄ６５値を有する混合光を生成するために、前記第２の光源（１２）は動作させられず、前記第３の光源（１３）が動作させられる、請求項１１記載の発光部品（１００）。
【請求項１３】
前記混合光の光束は少なくとも５００ｌｍである、請求項１から１２までのいずれか１項記載の発光部品（１００）。
【請求項１４】
少なくとも５００ｌｍの光束を有する光を放出するように構成されている、請求項１から１３までのいずれか１項記載の発光部品を少なくとも１つ備えるランプ（４）。
【請求項１５】
請求項１４に記載のランプ（４）または請求項１から１３までのいずれか１項記載の発光部品の、一般的な照明または輸送手段の内部空間の照明のための使用。
【請求項１６】
前記輸送手段は、以下の輸送手段、すなわち自動車、バス、鉄道車両、飛行機、ボート、潜水艦、ヘリコプターのうちの１つである、請求項１５記載の使用。
【発明の詳細な説明】
【技術分野】
【０００１】
発光部品を提示する。
【０００２】
解決すべき課題の１つは、照明計画の中心が人間である、いわゆる「ヒューマンセントリックライティング（Ｈｕｍａｎ  Ｃｅｎｔｒｉｃ  Ｌｉｇｈｔｉｎｇ）」に特に適した発光部品を提示することである。
【０００３】
解決すべき別の問題は、この種の部品を有するランプを提示すること、ならびにこの種のランプもしくはこの種の部品の使用を提示することである。
【０００４】
少なくとも１つの実施形態では、発光部品は、異なる波長領域の光を対で放出するように構成されている少なくとも４つの光源を含んでいる。すなわち、光源の動作中、光源は電磁ビーム、特に可視光を放射する。ここで、異なる光源の放射光は、光が放射される波長領域の点で、対で相違している。たとえば、光源はそれぞれ特定の主波長を有する光を生成する。
【０００５】
色理論では、主波長は、同様の色知覚を生じさせるスペクトル（単色）光を使用して、非スペクトル（多色）光混合を表すことができる。
【０００６】
ＣＩＥ色空間では、特定の色の点と光源のこの色の点とを結ぶ線を、この線が空間の輪郭に２つの点において当たるように、外挿することができる。上記の色により近い交点は、この交点での純粋なスペクトル色の波長として、この色の主波長を表している。異なる光源の主波長は対で異なっている。たとえば、２つの光源からの光の主波長の差は少なくとも１５ｎｍである。特に、少なくとも３つの光源が対で異なる色の光を放出することができる。
【０００７】
光源は、たとえば、発光ダイオード、有機発光ダイオードおよび／またはレーザーダイオード等の光電子部品であり得る。特に、光源は、コンバータを含まないか次のようなコンバータを含んでいる発光ダイオードチップでもあり得る。このコンバータは、発光ダイオードチップの半導体本体において生成された一次ビームの少なくとも一部を、一次ビームよりも低いエネルギーの二次ビームに変換する。
【０００８】
発光部品の少なくとも１つの実施形態では、発光部品は、光源を動作させるための駆動制御装置を含んでいる。駆動制御装置は、たとえば、光源の動作を制御できる少なくとも１つのスイッチであり得る。さらに、駆動制御装置は、マイクロコントローラまたは集積回路であってよい。駆動制御装置はここで、少なくとも２つの光源からの光が混ざって混合光が形成されるように、これらの光源を互いに独立して動作させるように構成されている。これは、たとえば、異なる時間で、異なる期間の間、かつ／または異なる電流強度で、駆動制御装置によって光源が動作させられることを意味する。ここで、発光部品からこのような光源の光の混合光が放出されるように、少なくとも２つの光源を動作させることが可能である。これはたとえば、少なくとも２つの光源が同時に動作させられる、または少なくとも２つの光源が迅速に連続して動作させられることによって実現され、これによって、人間の観察者に対して同様に、光源から放射された光が混ざり、混合光が形成される。このために、駆動制御装置は、たとえば、少なくとも１つのパルス幅変調回路を含んでいてよい、または少なくとも１つのパルス幅変調回路と接続されていてよい。
【０００９】
混合光は特に白色光であり得る。
【００１０】
発光部品の少なくとも１つの実施形態では、駆動制御装置は、混合光のｍｖ，ｍｅｌ，Ｄ６５値を調整するように構成されている。ｍｖ，ｍｅｌ，Ｄ６５値はメラノピック昼光等価効率ファクターである。混合光の場合には、これは、標準光Ｄ６５（自然の昼光）のメラノピック昼光等価光束と、フォトオプティカル光束との商から、混合光の眼の感度曲線Ｖ（λ）に従って決定される。このファクターを使用して、フォトオプティカル光束を備えた光源に対して、相応するメラノピック昼光等価光束が計算される。ｍｖ，ｍｅｌ，Ｄ６５値が高いほど、光による刺激が大きくなり、光が照射された人間のメラノプシン生成が低くなる。
【００１１】
駆動制御装置によって、混合光のｍｖ，ｍｅｌ，Ｄ６５値を調整することができる。これは、たとえば、駆動制御装置を使用して、混合光のｍｖ，ｍｅｌ，Ｄ６５値が少なくとも２つの、事前に設定可能な値から選択可能であることを意味し得る。さらに、駆動制御装置を用いて、ｍｖ，ｍｅｌ，Ｄ６５値を２つ以上、たとえば１０個の事前に設定可能な値から選択することが可能である。さらに、光源を駆動制御することによって、混合光のｍｖ，ｍｅｌ，Ｄ６５値を準連続的に変えるように、駆動制御を構成することができる。
【００１２】
発光部品の少なくとも１つの実施形態では、提示される部品は、
・対で異なる波長領域の光を放出するように構成されている少なくとも４つの光源と、
・光源を動作させるための駆動制御装置とを備えており、
ここで
・少なくとも２つの光源からの光が混ざり、混合光が形成されるように、これらの光源を互いに独立して動作させるように駆動制御装置は構成されており、さらに、
・混合光のｍｖ，ｍｅｌ，Ｄ６５値を調整するように駆動制御装置は構成されている。
【００１３】
本発明に記載されている発光部品を用いて、混合光のｍｖ，ｍｅｌ，Ｄ６５値を調整することができる。これによって、発光部品の混合光を介して人間の目を刺激することによるメラノプシン放出に所期のように影響を与えることができるため、たとえば、高い精神集中が望まれる場合、メラノプシンの生成ができるだけ抑えられる照明を提供することができる。さらに、同じ発光部品によって、高いメラノプシン産出を励起し、これによって、たとえば緊張緩和の局面および休息の局面における刺激の減少を生じさせる混合光を生成することが可能である。
【００１４】
発光部品の少なくとも１つの実施形態では、少なくとも４つの光源は、最小で４２０ｎｍ、最大で４５０ｎｍの支配的主波長を有する電磁ビームを放出するように構成されている第１の光源を含んでいる。たとえば、第１の光源は、動作中に、４４５ｎｍの支配的主波長を有する電磁ビームを放出する。換言すれば、第１の光源はスペクトルの深青色領域の光を生成する。
【００１５】
ここで、発光部品はとりわけ、次のような知識に基づいている。すなわち、メラノピック感度曲線Ｓｍｅｌ（λ）の最大値が、ＤＩＮ  ＳＰＥＣ  ５０３１−１００と比較して、４９０ｎｍの波長にあり、これによって、このような深青色光がメラノプシン産出の励起をほとんど引き起こさないという知識である。したがって、第１の光源は、ｍｖ，ｍｅｌ，Ｄ６５値が小さい混合光を生成するのに特に適しており、したがって低いメラノプシン産出に基づいて、刺激効果を有している。
【００１６】
第１の光源は特に、コンバータを含まない発光ダイオードまたは発光ダイオードチップであり得る。これは、第１の光源からの光がたとえば、半導体本体の下流に位置するコンバータによってさらに変換されることなく、半導体本体内で直接的に生成されることを意味している。
【００１７】
発光部品の少なくとも１つの実施形態では、発光部品は、少なくとも４つの光源の１つとして、第１の光源の電磁ビームの主波長よりも大きい主波長を有する電磁ビームを放出するように構成されている第２の光源を含んでいる。たとえば、第２の光源は、最小で４８０ｎｍ、最大で５２０ｎｍ、または最小で４５５ｎｍ、最大で４８０ｎｍの支配的主波長を有している。すなわち、動作中に、第２の光源は、青緑（ベルデとも称される）または青色のスペクトル領域の光を放出する。
【００１８】
第２の光源は特に、コンバータを含まない発光ダイオードまたは発光ダイオードチップであり得る。これは、第２の光源の光がたとえば、半導体本体の下流に位置するコンバータによってさらに変換されることなく、たとえば半導体本体内で直接的に生成されることを意味する。
【００１９】
発光部品の少なくとも１つの実施形態では、発光部品は、緑色光のスペクトル領域の電磁ビームを放出するように構成されている第３の光源を含んでいる。
【００２０】
第３の光源は、たとえば、少なくとも１つの発光ダイオードチップを含んでいる光源である。たとえば、発光ダイオードチップは、コンバータが後に続く半導体本体を含んでいる。たとえば、ＵＶビームおよび／または青色光等であり得る、発光ダイオードチップによって動作中に生成された電磁ビームの大部分は、コンバータによって第３の光源の緑色光に変換される。たとえば、名称（蛍光材料コード）ＧＩ２を有する蛍光材料をコンバータにおいて使用することができる。択一的に、コンバータを使用せずに緑色光を直接的に生成することができる。
【００２１】
発光部品の少なくとも１つの実施形態では、少なくとも４つの光源は、黄色光のスペクトル領域の電磁ビームを放出するように構成されている第４の光源を含んでいる、かつ／または少なくとも４つの光源は、こはく色の光（アンバーとも称される）のスペクトル領域にある電磁ビームを放出するように構成されている第４の光源を含んでいる。ここで特に、発光部品が２つの第４の光源を含んでいることも可能であり、この場合には、一方の光源は黄色光を放出し、他方の光源はこはく色の光を放出する。第４の光源も、相応する有色光を生成するように構成されているコンバータを含むことができる。
【００２２】
こはく色の光を生成するために、たとえば、コンバータにおいて、名称（蛍光材料コード）Ａｍｂｅｒ  ＲＥ３１４および／またはＲｏｔ  ＲＥ４を有する蛍光材料を使用することができる。たとえば、黄色光を生成するために、名称（蛍光材料コード）Ｇｅｌｂ  ＹＩ１２ＲＩ５を有する蛍光材料を使用することができる。択一的に、コンバータを使用せずに、黄色および／またはこはく色の光を直接的に生成することができる。
【００２３】
発光部品の少なくとも１つの実施形態では、駆動制御装置は、事前に設定可能な領域内で混合光のｍｖ，ｍｅｌ，Ｄ６５値を変えるように構成されており、ここで異なるｍｖ，ｍｅｌ，Ｄ６５値のもとで、混合光の色温度は、平均値を中心として最大で２０％ぶんだけ、事前に設定可能な領域から変動する。特に、異なるｍｖ，ｍｅｌ，Ｄ６５値のもとで、混合光の色温度は、平均値を中心として最大で１５％もしくは５％ぶんだけ、事前に設定可能な領域から変動することが可能である。ここで、異なるｍｖ，ｍｅｌ，Ｄ６５値に対する色温度が同じままでもよい。特に、事前に設定可能な領域からの異なるｍｖ，ｍｅｌ，Ｄ６５値の調整時の色温度の変化は、人間の観察者には感知されない。
【００２４】
ｍｖ，ｍｅｌ，Ｄ６５値の事前に設定可能な領域は、たとえば少なくとも０．１、特に少なくとも０．１２以上であり得る。
【００２５】
本明細書に記載されている発光部品はここで、とりわけ、たとえば、相互に異なる青色光を放出する第１の光源と第２の光源とを使用することによって、生成される光のｍｖ，ｍｅｌ，Ｄ６５値に特に良好に影響を与えることができるという知識に基づいている。ここで異なるｍｖ，ｍｅｌ，Ｄ６５値に対する異なる光束を有する第１の光源および第２の光源の使用による色温度における変化を、第３の光源および第４の光源を動作させることによって補償することができる。このようにして、ｍｖ，ｍｅｌ，Ｄ６５値を変更する際に色温度を一定またはほぼ一定に保つことができる。
【００２６】
たとえば、４０００Ｋの生成された混合光の色温度のもとで、０．５４の最小のｍｖ，ｍｅｌ，Ｄ６５値および０．６８の最大のｍｖ，ｍｅｌ，Ｄ６５値を実現することができる。これは、１．２５の白色光の同じ色温度のもとで、活性化する光から、緊張を緩和する光までの動的なファクターに相当する。
【００２７】
すなわち、驚くべきことに、生成された白色混合光の色温度の違いに人間の観察者が気づくことなく、本明細書に記載されている発光部品を用いて、混合光の著しく異なるｍｖ，ｍｅｌ，Ｄ６５値を調整することができる。したがって、高いｍｖ，ｍｅｌ，Ｄ６５値は、必ずしも青味を帯びた白色の光の生成を伴うわけではなく、かつ低いｍｖ，ｍｅｌ，Ｄ６５値は、必ずしも温白色光の生成を伴うわけではなく、異なるｍｖ，ｍｅｌ，Ｄ６５値を一定の色温度もとで、たとえばニュートラルホワイト（昼白色）の光に対して実現することができる。
【００２８】
特に、本明細書に記載されている発光部品によって、異なるｍｖ，ｍｅｌ，Ｄ６５値の混合光を生成することができ、ここで、生成された混合光の色温度は、異なるｍｖ，ｍｅｌ，Ｄ６５値に対してできるだけ変化が少ない。
【００２９】
発光部品の少なくとも１つの実施形態では、比較的大きいｍｖ，ｍｅｌ，Ｄ６５値を有する混合光を生成するために、第１の光源は、比較的小さいｍｖ，ｍｅｌ，Ｄ６５値の場合よりも、第２の光源と比べて、より低い電力で動作させられる。ここで特に次のことが可能である。すなわち、比較的大きいｍｖ，ｍｅｌ，Ｄ６５値を有する混合光を生成するために、第１の光源は動作させられず、第２の光源が動作させられ、小さいｍｖ，ｍｅｌ，Ｄ６５値を有する混合光を生成するために、第２の光源は動作させられず、第１の光源が動作させられる、ということが可能である。このようにして、たとえば、２つの極端なｍｖ、ｍｅｌ、Ｄ６５値、すなわち最小のｍｖ，ｍｅｌ，Ｄ６５値と最大のｍｖ，ｍｅｌ，Ｄ６５値とを特に容易に調整することができる。これは、第１の光源または第２の光源が動作させられることによって行われる。混合光の色温度の変更はここで、第３の光源および／または第４の光源を再調整することによって行うことができる。ここでは特に、最小で４５５ｎｍ、最大で４８０ｎｍの波長領域において青色光を放出する第２の光源が使用される。
【００３０】
発光部品の少なくとも１つの実施形態では、比較的大きいｍｖ，ｍｅｌ，Ｄ６５値を有する混合光を生成するために、第３の光源は、比較的小さいｍｖ，ｍｅｌ，Ｄ６５値の場合よりも、第２の光源に比べて、より低い電力で動作させられる。ここで特に次のことが可能である。すなわち、比較的大きいｍｖ，ｍｅｌ，Ｄ６５値を有する混合光を生成するために、第３の光源は動作させられず、第２の光源が動作させられ、小さいｍｖ，ｍｅｌ，Ｄ６５値を有する混合光を生成するために、第２の光源は動作させられず、第３の光源が動作させられる、ということが可能である。このようにして、たとえば、２つの極端なｍｖ，ｍｅｌ，Ｄ６５値、すなわち最小のｍｖ，ｍｅｌ，Ｄ６５値および最大のｍｖ，ｍｅｌ，Ｄ６５値を特に容易に調整することができる。これは、第３の光源または第２の光源が動作させられることによって行われる。混合光の色温度の変更はここで、第１の光源および／または第４の光源を再調整することによって行うことができる。ここでは特に、最小で４８０ｎｍ、最大で５０５ｎｍの波長領域において青緑色光を放出する第２の光源が使用される。
【００３１】
発光部品の少なくとも１つの実施形態では、混合光の光束は少なくとも５００ｌｍ、特に少なくとも７５０ｌｍまたは少なくとも１０００ｌｍである。すなわち、動作中、発光部品によって少なくとも５００ｌｍの光束を有する混合光を生成することができる。ここでこのような高い光束の光は、メラノピック影響付与に特に適していることが判明している。
【００３２】
さらにランプが提示される。このランプは、本明細書に記載されている少なくとも１つの発光部品を含んでおり、したがって発光部品に対して記載されているすべての特徴はランプに対しても記載されており、逆も同様である。ランプは、特に、少なくとも５００ｌｍ、特に少なくとも７５０ｌｍまたは少なくとも１０００ｌｍの光束を有する光を放出するように構成されている。光はここで、ランプの２つ以上の発光部品からの混合光で構成されていてよく、したがって少なくとも５００ｌｍの光束を有する混合光を生成するように、個々の部品が構成されている必要はない。
【００３３】
さらに、本明細書に記載されているランプと本明細書に記載されている発光部品の使用が提示される。すなわち、ランプおよび発光部品に関して開示されているすべての特徴は、使用に対しても開示されており、逆も同様である。本明細書に記載されているランプまたは本明細書に記載されている部品は、特に、一般的な照明または輸送手段の内部空間の照明のために使用できる。輸送手段は、たとえば、自動車、バス、鉄道車両、飛行機、ボート、潜水艦、ヘリコプター等であり得る。
【００３４】
ランプは、たとえば、特別な集中が必要な場合に、高いｍｖ，ｍｅｌ，Ｄ６５値でランプが動作され得る作業環境での使用に適している。休息の局面または緊張緩和の局面では、ランプを可能な限り低いｍｖ，ｍｅｌ，Ｄ６５値で動作させることが可能である。同じことが、輸送手段におけるランプの動作に当てはまる。たとえば、ランプを飛行機内で使用する場合、ランプを相応に動作させることによって、時間のずれ（時差ボケ）の悪影響を軽減することができる。たとえば、ランプによって生成された光のｍｖ，ｍｅｌ，Ｄ６５値を、飛行時間にわたって、目的地の昼光のｍｖ，ｍｅｌ，Ｄ６５値に徐々に近づけることができる。一般的な照明として、昼光の経過が再現される。これによって、健康状態が向上し、夜間の睡眠が改善され、さらに日中のパフォーマンスが改善される。
【００３５】
本明細書に記載されている発光部品、本明細書に記載されているランプならびに発光部品およびランプの使用を、実施例および属する図面に基づいて以降でより詳細に説明する。
【図面の簡単な説明】
【００３６】
【図１Ａ】本明細書に記載されている発光部品の実施例を概略図で示している。
【図１Ｂ】本明細書に記載されている発光部品の実施例を概略図で示している。
【図２Ａ】本明細書に記載されているランプの実施例を概略図で示している。
【図２Ｂ】本明細書に記載されているランプの実施例を概略図で示している。
【図３Ａ】本明細書に記載されている発光部品および本明細書に記載されているランプの実施例をより詳細に説明するための図である。
【図３Ｂ】本明細書に記載されている発光部品および本明細書に記載されているランプの実施例をより詳細に説明するための図である。
【図３Ｃ】本明細書に記載されている発光部品および本明細書に記載されているランプの実施例をより詳細に説明するための図である。
【図３Ｄ】本明細書に記載されている発光部品および本明細書に記載されているランプの実施例をより詳細に説明するための図である。
【図４Ａ】本明細書に記載されている発光部品および本明細書に記載されているランプの実施例をより詳細に説明するための図である。
【図４Ｂ】本明細書に記載されている発光部品および本明細書に記載されているランプの実施例をより詳細に説明するための図である。
【図５Ａ】本明細書に記載されている発光部品および本明細書に記載されているランプの実施例をより詳細に説明するための図である。
【図５Ｂ】本明細書に記載されている発光部品および本明細書に記載されているランプの実施例をより詳細に説明するための図である。
【図６Ａ】本明細書に記載されている発光部品および本明細書に記載されているランプの実施例をより詳細に説明するための図である。
【図６Ｂ】本明細書に記載されている発光部品および本明細書に記載されているランプの実施例をより詳細に説明するための図である。
【００３７】
同じ要素、同種の要素または同様に作用する要素には図面において同じ参照符号が付けられている。図および図に示されている要素の相互の大きさの比率は、縮尺どおりではない。むしろ、個々の要素は、見やすくする、かつ／または分かりやすくするために、サイズを誇張して示されていることがある。
【００３８】
図１Ａは、本明細書に記載されている発光部品１００の実施例の概略的な平面図を示している。発光部品１００は、第１の光源１１、第２の光源１２、第３の光源１３および第４の光源１４を含む、４つの光源１を含んでいる。
【００３９】
ここで、動作中、第１の光源１１は、最大で４５０ｎｍ、たとえば４４５ｎｍの支配的主波長を有する電磁ビームを生成する。
【００４０】
動作中、第２の光源１２は、第１の光源１１の電磁ビームの主波長よりも大きい主波長を有する電磁ビームを生成する。たとえば、第２の光源は、最小で４８０ｎｍ、最大で５０５ｎｍの主波長を有する電磁ビーム、または最小で４５５ｎｍ、最大で４７０ｎｍの主波長を有する電磁ビームを生成する。
【００４１】
動作中、第３の光源１３は、緑色光を生成する。動作中、第４の光源１４は、黄色および／またはこはく色の光を生成する。
【００４２】
図１Ａの実施例の発光部品１００は、さらに、少なくとも２つの光源１の光が混ざって混合光が形成されるように、光源１を相互に独立して動作させるように構成されている駆動制御装置２を含んでいる。混合光は、光の加法混合によって生成される。
【００４３】
動作中に対で異なる波長領域を有する光を放出する少なくとも４つの光源を使用することによって、特に高いダイナミズムが可能になる。すなわち、特に、大きい色温度領域から白色混合光を生成することができる。ここで、それぞれが青色光を生成する２つの異なる光源、すなわち第１の光源および第２の光源を使用することによって、メラノプシン産出の励起を変えることができることが判明している。
【００４４】
これは、少なくとも２つの光源からの光が混ざって混合光が形成されるように、光源１を相互に独立して動作させるように、駆動制御装置２が構成されていることによって可能になる。この混合光のｍｖ，ｍｅｌ，Ｄ６５値は駆動制御装置によって調整可能である。
【００４５】
駆動制御装置２をここで、発光部品内、たとえば担体上またはハウジング内に配置することができる。さらに、駆動制御装置２を、光源から離して配置することが可能である。
【００４６】
本明細書に記載されている発光部品１００の別の実施例を、図１Ｂの断面図に基づいてより詳細に説明する。この実施例では、光源１がそれぞれ発光ダイオードであり得ることが示されている。ここで第３の光源１３は、第１のコンバータ１３ａが後に続く半導体本体を含んでいる。半導体本体において生成された電磁ビームは、コンバータ１３ａによって、たとえば緑色光に変換される。
【００４７】
第４の光源１４は、第２のコンバータ１４ａを備えた半導体本体を含んでおり、これによって、第４の光源１４から黄色またはこはく色の光が放射される。
【００４８】
駆動制御装置２を、たとえば、発光部品のハウジング３に一体化することができる。この場合にはたとえば、駆動制御装置は集積回路またはマイクロプロセッサーである。ハウジング３は、たとえば、接続担体、プリント回路基板および／または部品ハウジングであってよく、これは、たとえば、セラミック材料またはプラスチック材料によって形成されていてよい。
【００４９】
図２Ａは、本明細書に記載されている発光部品１００を２つ有している、本明細書に記載されているランプの概略図を示している。このランプは、たとえば、一般的な照明または自動車等の輸送手段における室内照明に使用可能である。これは図２Ｂに概略的に示されている。
【００５０】
図３Ａのグラフは、本明細書に記載されている発光部品の実施例の光源１のスペクトルを示している。ここで各光源によって生成された光の正規化された強度が、ｎｍ単位の波長λに対してプロットされる。曲線λ１１は、主波長Ｐ１１を有する第１の光源によって生成された光を示している。主波長Ｐ１１は、たとえば、約４４５ｎｍの短波青色領域にある。
【００５１】
主波長Ｐ１２を有している曲線λ１２は、主波長Ｐ１２がたとえば４６５ｎｍにある第２の光源からのものを示している。
【００５２】
さらに、発光部品は、波長λ１３を有する緑色光を放出する第３の光源と、波長λ１４を有する光を放出する第４の光源とを含んでいる。
【００５３】
さらに図３Ａには、Ｓｍｅｌ（λ）曲線ならびに眼の感度曲線Ｖ（λ）が示されている。ここで、曲線λ１１の短波青色光が、刺激曲線Ｓｍｅｌ（λ）の外側にあることが見て取れる。曲線λ１２の長波青色光は、刺激曲線Ｓｍｅｌ（λ）の最大値に近い。これは、第１の光源１１と第２の光源１２とを異なって駆動制御することによって、異なるｍｖ，ｍｅｌ，Ｄ６５値を有する混合光の生成を可能にする。これによって同様に、加法混合によって生成される、発光部品の混合光の輝度と白色点とを変えることなく、異なるレベルのメラノプシン刺激が可能になる。
【００５４】
図３Ｂに基づいて発光部品が説明されており、ここでは図３Ａの発光部品とは異なり、曲線λ１４によって特徴付けられる第４の光源は、こはく色の光を放出する光源である。
【００５５】
図３Ａの光源とは異なり、図３Ｃは、曲線λ１２によって特徴付けられる第２の光源が５０５ｎｍの主波長Ｐ１２を有する青緑色光（ベルデとも称される）を放出する発光部品を記載する。ここで、曲線λ１３の長波緑色光が、刺激曲線Ｓｍｅｌ（λ）の外側にあることが見て取れる。曲線λ１２の短波青緑色光は、刺激曲線Ｓｍｅｌ（λ）の最大値に近い。これは、第３の光源１３と第２の光源１２とを異なって駆動制御することによって、異なるｍｖ，ｍｅｌ，Ｄ６５値を有する混合光の生成を可能にする。これによって同様に、加法混合によって生成される、発光部品の混合光の輝度と白色点とを変えることなく、異なるレベルのメラノプシン刺激が可能になる。
【００５６】
図３Ｃとは異なり、図３Ｄは、曲線λ１４によって特徴付けられる第４の光源がこはく色の光を放出する発光部品を示している。
【００５７】
図４Ａは、図３Ａのスペクトルにしたがって、たとえば発光部品の混合光のスペクトルを曲線「Ｍｉｘ」として示している。さらに、眼の感度曲線Ｖ（λ）によって重み付けされた、混合光のスペクトルの曲線ｐが示されており、最後に刺激曲線Ｓｍｅｌ（λ）によって重み付けされた、混合光の曲線ｍが示されている。
【００５８】
図４Ａに示されている曲線Ｍｉｘはここで、０．５４のｍｖ，ｍｅｌ，Ｄ６５値のもとで、４０００Ｋの色温度および８２の演色評価数を伴う白色混合光を表している。これは、第１の光源１１が動作させられ、第２の光源１２が動作させられないことによって実現される。
【００５９】
たとえば、光源１を動作させる、ＰＷＭ回路のＤＴＣ値は、光源１に対して以下の値を有している。
【００６０】
【表１】
2020529723.tif 000003
【００６１】
ここで第３の光源１３は、緑色光を生成し、第４の光源は黄色光を生成する。
【００６２】
これとは異なり、図４Ｂは、図４Ａに相当する、白色混合光に対するスペクトルを、４０００Ｋの色温度および８９の演色評価数のもとで、０．６８のｍｖ，ｍｅｌ，Ｄ６５値のもとで示している。ここでは、第１の光源１１は動作させられず、第２の光源が動作させられる。
【００６３】
たとえば、光源１を動作させる、ＰＷＭ回路のＤＴＣ値は、光源１に対して以下の値を有している。
【００６４】
【表２】
2020529723.tif 000004
【００６５】
したがって、本明細書に記載されている発光部品によって、メラノプシン刺激時の最大変化が可能になる。同じ輝度の場合に刺激効率が向上し、個別の白色点調整が可能になる。したがって、人間の観察者にとって白色点が顕著にシフトすることなく、ｍｖ，ｍｅｌ，Ｄ６５値を変えることができる。その結果、白色混合光の同じ色温度の場合に、異なるレベルのメラノプシン刺激が得られる。特に、光源の密集したパッキング密度の場合、たとえば、部品の発光ダイオードチップの場合、良好な光の混合が得られる。
【００６６】
図５Ａは、図３Ａのスペクトルにしたがって、２７００Ｋの色温度および８１の演色評価数のもとでの白色光に対する混合光のスペクトルを曲線「Ｍｉｘ」として示している。ここでは、０．３５のｍｖ，ｍｅｌ，Ｄ６５値が調整されている。
【００６７】
たとえば、光源１を動作させる、ＰＷＭ回路のＤＴＣ値は、光源１に対して以下の値を有している。
【００６８】
【表３】
2020529723.tif 000005
【００６９】
図５Ｂのスペクトルは、６４００Ｋの色温度および７２の演色評価数のもとでの白色光を示している。ここでは、０．９９のｍｖ，ｍｅｌ，Ｄ６５値が調整されている。
【００７０】
たとえば、光源１を動作させる、ＰＷＭ回路のＤＴＣ値は、光源１に対して以下の値を有している。
【００７１】
【表４】
2020529723.tif 000006
【００７２】
すなわち、色温度が一定に保たれていない場合、本明細書に記載されている発光部品を用いて、ｍｖ，ｍｅｌ，Ｄ６５値を極めて広い領域にわたって変えることができる。この例では、２．８の、青味を帯びた白色光から温白色光への動的なファクターが可能である。
【００７３】
図６Ａは、図３Ｃのスペクトルにしたがって、たとえば発光部品の混合光のスペクトルを「Ｍｉｘ」として示している。さらに、眼の感度曲線Ｖ（λ）によって重み付けされた、混合光のスペクトルの曲線ｐが示されており、最後に刺激曲線Ｓｍｅｌ（λ）によって重み付けされた、混合光の曲線ｍが示されている。
【００７４】
図６Ａに示されている曲線Ｍｉｘはここで、０．３５のｍｖ，ｍｅｌ，Ｄ６５値のもとで、２７００Ｋの色温度と８１の演色評価数とを有している白色混合光を表している。
【００７５】
これは、第２の光源１２が動作させられず、第３の光源１３が動作させられることによって実現される。
【００７６】
たとえば、光源１を動作させる、ＰＷＭ回路のＤＴＣ値は、光源１に対して以下の値を有している。
【００７７】
【表５】
2020529723.tif 000007
【００７８】
ここで第３の光源１３は緑色光を生成し、第４の光源１４は黄色光を生成する。
【００７９】
これとは異なり、図６Ｂは、６４００Ｋの色温度および７２の演色評価数のもとでの、１．１７のｍｖ，ｍｅｌ，Ｄ６５値での白色混合光に対する、図６Ａに対応するスペクトルを示している。ここでは、第３の光源１３は動作させられず、第２の光源１２が動作させられる。
【００８０】
たとえば、光源１を動作させる、ＰＷＭ回路のＤＴＣ値は、光源１に対して以下の値を有している。
【００８１】
【表６】
2020529723.tif 000008
【００８２】
すなわち、色温度が一定に保たれていない場合、本明細書に記載されている発光部品を用いて、ｍｖ，ｍｅｌ，Ｄ６５値を極めて広い領域にわたって変えることができる。この例では、３．３の、青味を帯びた白色光から温白色光への動的なファクターが可能である。ここで第２の光源として、青緑の光源が使用される。
【００８３】
本発明は、これらの実施例に基づく説明によってこれらの実施例に限定されない。むしろ、本発明は、すべての新しい特徴ならびに特徴のすべての組み合わせを包含し、これは特に、特許請求の範囲に記載された特徴のすべての組み合わせを含んでいる。これは、この特徴またはこの組み合わせ自体が特許請求の範囲または実施例において明示的に記載されていない場合でも、当てはまる。
【００８４】
この特許出願は、ドイツ特許出願１０２０１７１１８３３９．６の優先権を主張し、その開示内容は参照により本明細書に組み込まれる。
【符号の説明】
【００８５】
１  光源
１１  第１の光源
１２  第２の光源
１３  第３の光源
１４  第４の光源
１３ａ  第１のコンバータ
１４ａ  第２のコンバータ
２  駆動制御装置
３  ハウジング
４  ランプ
【図１Ａ】
2020529723.tif 000009
【図１Ｂ】
2020529723.tif 000010
【図２Ａ】
2020529723.tif 000011
【図２Ｂ】
2020529723.tif 000012
【図３Ａ】
2020529723.tif 000013
【図３Ｂ】
2020529723.tif 000014
【図３Ｃ】
2020529723.tif 000015
【図３Ｄ】
2020529723.tif 000016
【図４Ａ】
2020529723.tif 000017
【図４Ｂ】
2020529723.tif 000018
【図５Ａ】
2020529723.tif 000019
【図５Ｂ】
2020529723.tif 000020
【図６Ａ】
2020529723.tif 000021
【図６Ｂ】
2020529723.tif 000022
【手続補正書】
【提出日】令和2年4月8日(2020.4.8)
【手続補正１】
【補正対象書類名】特許請求の範囲
【補正対象項目名】全文
【補正方法】変更
【補正の内容】
【特許請求の範囲】
【請求項１】
発光部品（１００）であって、
・対で異なる波長領域の光を放出するように構成されている少なくとも４つの光源（１）と、
・前記光源を動作させるための駆動制御装置（２）とを備えており、
・少なくとも２つの前記光源（１）からの光が混ざり、混合光が形成されるように、前記光源（１）を互いに独立して動作させるように前記駆動制御装置（２）は構成されており、
・前記混合光のｍｖ，ｍｅｌ，Ｄ６５値を調整するように前記駆動制御装置は構成されており、さらに
・少なくとも４つの前記光源（１）は、最大で４５０ｎｍの主波長を有する電磁ビームを放出するように構成されている第１の光源（１１）を含んでおり、
・少なくとも４つの前記光源（１）は、最小で４８０ｎｍ、最大で５２０ｎｍまたは最小で４５５ｎｍ、最大で４７０ｎｍの主波長を有する電磁ビームを放出するように構成されている第２の光源（１２）を含んでおり、
・少なくとも４つの前記光源（１）は、緑色光のスペクトル領域の電磁ビームを放出するように構成されている第３の光源（１３）を含んでおり、さらに
・少なくとも４つの前記光源（１）は、黄色および／またはこはく色の光スペクトル領域の電磁ビームを放出するように構成されている第４の光源（１４）を含んでいる
発光部品（１００）。
【請求項２】
前記第２の光源（１２）は、前記第１の光源（１１）の前記電磁ビームの主波長よりも大きい主波長を有する電磁ビームを放出するように構成されている、請求項１記載の発光部品（１００）。
【請求項３】
前記駆動制御装置（２）は、事前に設定可能な領域内で前記混合光のｍｖ，ｍｅｌ，Ｄ６５値を変えるように構成されており、
異なるｍｖ，ｍｅｌ，Ｄ６５値のもとで、前記混合光の色温度は、平均値を中心として最大で２０％ぶんだけ、前記事前に設定可能な領域から変動する、請求項１または２記載の発光部品（１００）。
【請求項４】
比較的大きいｍｖ，ｍｅｌ，Ｄ６５値を有する混合光を生成するために、前記第１の光源（１１）は、比較的小さいｍｖ，ｍｅｌ，Ｄ６５値の場合よりも、前記第２の光源と比べて、より低い電力で動作させられる、請求項１記載の発光部品（１００）。
【請求項５】
前記比較的大きいｍｖ，ｍｅｌ，Ｄ６５値を有する混合光を生成するために、前記第１の光源（１１）は動作させられず、前記第２の光源（１２）が動作させられ、前記比較的小さいｍｖ，ｍｅｌ，Ｄ６５値を有する混合光を生成するために、前記第２の光源（１２）は動作させられず、前記第１の光源（１１）が動作させられる、請求項４記載の発光部品（１００）。
【請求項６】
比較的大きいｍｖ，ｍｅｌ，Ｄ６５値を有する混合光を生成するために、前記第３の光源（１３）は、比較的小さいｍｖ，ｍｅｌ，Ｄ６５値の場合よりも、前記第２の光源に比べて、より低い電力で動作させられる、請求項１記載の発光部品（１００）。
【請求項７】
前記比較的大きいｍｖ，ｍｅｌ，Ｄ６５値を有する混合光を生成するために、前記第３の光源（１３）は動作させられず、前記第２の光源（１２）が動作させられ、前記比較的小さいｍｖ，ｍｅｌ，Ｄ６５値を有する混合光を生成するために、前記第２の光源（１２）は動作させられず、前記第３の光源（１３）が動作させられる、請求項６記載の発光部品（１００）。
【請求項８】
前記混合光の光束は少なくとも５００ｌｍである、請求項１から７までのいずれか１項記載の発光部品（１００）。
【請求項９】
少なくとも５００ｌｍの光束を有する光を放出するように構成されている、請求項１から８までのいずれか１項記載の発光部品を少なくとも１つ備えるランプ（４）。
【請求項１０】
請求項９に記載のランプ（４）または請求項１から８までのいずれか１項記載の発光部品の、一般的な照明または輸送手段の内部空間の照明のための使用。
【請求項１１】
前記輸送手段は、以下の輸送手段、すなわち自動車、バス、鉄道車両、飛行機、ボート、潜水艦、ヘリコプターのうちの１つである、請求項１０記載の使用。
【国際調査報告】
2020529723.tif 000023
2020529723.tif 000024
2020529723.tif 000025
2020529723.tif 000026
2020529723.tif 000027
2020529723.tif 000028